(57)【要約】【課題】  簡単な構造であり実用性がよく、個人や家庭でも用いられて取扱性が向上する地震予知装置を提供する。【解決手段】  本発明の地震予知装置１０は、電子コンパス１３と制御部１４と警告手段１５とを備え、電子コンパス１３に電磁波が作用し、制御部１４が正しい方位から設定値以上に方位がずれたことを検出した際、警告手段１５が作動を開始し、電磁波が作用している間は警告手段１５が作動し続け、電磁波の作用が検出されなくなると、警告手段１５の作動を停止するものであって、電子コンパス１３を正しい方位に向けることを可能にする方位磁石３を備えることによって、構造が簡単であり家庭等での使用が可能となり実用性と取扱性が向上する。【選択図】      図１
2012149990.tif 000002
【特許請求の範囲】
【請求項１】
電子コンパスと警告手段を備え、前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにした地震予知装置であって、
前記電子コンパスを前記正しい方位に向けることを可能にする方位指向手段を備えたことを特徴とする地震予知装置。
【請求項２】
電子コンパスと警告手段を備え、前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにした地震予知装置であって、
前記電子コンパスを前記正しい方位に向けるよう回動するコンパス回動手段を備えたことを特徴とする地震予知装置。
【請求項３】
ずれ継続時間の長さまたはずれの大きさのうち少なくとも一つに応じて前記警告手段の作動を制御する構成にしたことを特徴とする請求項１または請求項２に記載の地震予知装置。
【請求項４】
前記警告手段として、視覚警告手段および聴覚警告手段を備えたことを特徴とする請求項１または請求項２に記載の地震予知装置。
【請求項５】
室内装飾器具、電気機器および車載機器を当該地震予知装置の宿主とする構成にしたことを特徴とする請求項１または請求項２に記載の地震予知装置。
【発明の詳細な説明】
【技術分野】
【０００１】
本発明は、地震の予知などに利用できる地震予知装置に関する。
【背景技術】
【０００２】
従来から地震の前兆現象として、電磁波、地磁気、地電流の変化と言った現象が起こることが知られている。そして、地磁気の変化に基づいて地震の予知を行う発明技術として、例えば地球変動予知装置（特許文献１参照）がある。
この地球変動予知装置は、２つの永久磁石の同極Ｎ，Ｎを対向させて軸に固定した指示軸を糸で固定点に水平に、且つ回動自在に吊持する。一方磁針を糸で吊持する。磁針は南北の方向を向き、常に一定であるが、指示軸の方は地嵐が起ると回動する。この回動量があるしきい値をこえると地震が発生するので、回動量の観察から地震の予知が可能である。
【先行技術文献】
【特許文献】
【０００３】
【特許文献１】特開平１１−２５８３５３号公報
【発明の概要】
【発明が解決しようとする課題】
【０００４】
しかしながら、上記特許文献１に開示された地球変動予知装置は、構造が複雑で、地震を予知するには常に観察している必要があり、しかも規模が大きくなって個人用及び家庭用には適さないものである。
したがって本発明は、簡単な構造からなり実用性があり、個人や家庭でも用いられ取扱性が良い地震予知装置を提供することを目的としている。
【課題を解決するための手段】
【０００５】
請求項１記載の本発明の地震予知装置は、電子コンパスと警告手段を備え、前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにした地震予知装置であって、前記電子コンパスを前記正しい方位に向けることを可能にする方位指向手段を備えたことを特徴とする。
請求項２記載の本発明の地震予知装置は、電子コンパスと警告手段を備え、前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにした地震予知装置であって、前記電子コンパスを前記正しい方位に向けるよう回動するコンパス回動手段を備えたことを特徴とする。
請求項３記載の本発明は、請求項１または請求項２記載の地震予知装置において、ずれ継続時間の長さまたはずれの大きさのうち少なくとも一つに応じて前記警告手段の作動を制御する構成にしたことを特徴とする。
請求項４記載の本発明は、請求項１または請求項２記載の地震予知装置において、前記警告手段として、視覚警告手段および聴覚警告手段を備えたことを特徴とする。
請求項５記載の本発明は、請求項１または請求項２記載の地震予知装置において、室内装飾器具、電気機器および車載機器を当該地震予知装置の宿主とする構成にしたことを特徴とする。
【発明の効果】
【０００６】
本発明によれば、電子コンパスを利用するので、常に観察していることもなく、簡単な構造の地震予知装置で、地震の前兆を予知することができる。そして、電子コンパスを正しい方位に向けることができるので、地震予知装置の取扱性が向上する。
【図面の簡単な説明】
【０００７】
【図１】本発明による第一実施例の地震予知装置を示す鳥瞰図
【図２】図１に示す地震予知装置の回路図
【図３】図２に示す電子コンパスの拡大平面図
【図４】図３に示すＸ軸地磁気センサの特性曲線
【図５】図１に示す地震予知装置の方位を調節する説明図
【図６】本発明による第二実施例の地震予知装置を示す鳥瞰図
【図７】図６に示す地震予知装置のＡ−Ａ縦断面図
【図８】図６に示す地震予知装置の回路図
【図９】図６に示す地震予知装置の方位を調節する説明図
【図１０】本発明による第三実施例の地震予知装置を示す鳥瞰図
【図１１】図１０に示す地震予知装置の回路図
【発明を実施するための形態】
【０００８】
本発明の第１の実施の形態による地震予知装置は、電子コンパスと警告手段を備え、電子コンパスに電磁波が作用し、正しい方位から設定値以上に方位がずれたことを検出した際、警告手段が作動を開始し、電磁波が作用している間は警告手段が作動し続け、電磁波の作用が検出されなくなると、警告手段の作動を停止するようにしたものであって、電子コンパスを正しい方位に向けることを可能にする方位指向手段を備えたものである。
本実施の形態によれば、例えば方位磁石が指す方向と標識手段とを合わせることにより、電子コンパスを正しい方位に向けることが容易に可能となるので、地震予知装置の実用性と取扱性が向上する。
本発明の第２の実施の形態による地震予知装置は、電子コンパスと警告手段を備え、電子コンパスに電磁波が作用し、正しい方位から設定値以上に方位がずれたことを検出した際、警告手段が作動を開始し、電磁波が作用している間は警告手段が作動し続け、電磁波の作用が検出されなくなると、警告手段の作動を停止するようにしたものであって、電子コンパスを正しい方位に向けるよう回動するコンパス回動手段を備えたものである。
本実施の形態によれば、コンパス回動手段が電子コンパスを正しい方位に自動的に向けるので、地震予知装置の実用性と取扱性を更に向上することができる。
本発明の第３の実施の形態は、第１または第２の実施の形態による地震予知装置において、ずれ継続時間の長さまたはずれの大きさのうち少なくとも一つに応じて警告手段の作動を制御する構成にしたものである。本実施の形態によれば、電磁波作用の継続や強弱に対応した警告が行える。
本発明の第４の実施の形態は、第１または第２の実施の形態による地震予知装置において、警告手段として、視覚警告手段および聴覚警告手段を備えたものである。本実施の形態によれば、地震予知の警告がより確実に行える。
本発明の第５の実施の形態は、第１または第２の実施の形態による地震予知装置において、室内装飾器具、電気機器および車載機器を当該地震予知装置の宿主とする構成にしたものである。本実施の形態によれば、地震予知を連続的に行うことができ、且つ地震予知の汎用性を増すことができる。
【実施例１】
【０００９】
本発明による実施例１の地震予知装置について、図面を参照して説明する。
図１は、本発明による第一実施例の地震予知装置を示す鳥瞰図である。
図に示す地震予知装置１０は、容器１と、容器１内に収納した予知手段２と、容器１に嵌装した方位磁石３とを備える。
容器１は、直方体の地震予知装置１０の本体であり、方位磁石３の周縁近傍の表面に、標識手段７である英文字Ｎ０を有している。この標識手段７は、容器１内の電子コンパス１３を正しい方位（即ち略北の方向）に向けるために設けている。後述するように、Ｘ軸地磁気センサ１７のＸ軸方向を地磁気Ｃに対して零度の方向に固定するために、換言すれば、Ｘ軸地磁気センサ１７を略北の方向に正対させるために利用する目印である。
【００１０】
予知手段２（含む電子コンパス１３）は、地震を予知し警告する手段である。
方位磁石３は、円柱形の磁気コンパスであり、Ｘ軸地磁気センサ１７を略北の方向に正対させるために設けた方位指向手段である。そして、方位磁石３の磁針４は、回転軸５によって回転自在に軸支されている。矢印で示す一方の磁針４先端（方位磁石３のＮ極）は略北の方向を指している。
そして、上記容器１表面の標識手段７と、予知手段２の電子コンパス１３に表示している英文字Ｎ（陰線表示、後述）とを、同一方向に重ね合わせるようにして、予知手段２の電子コンパス１３は容器１内に収納されている。
【００１１】
図２は、図１に示す地震予知装置の回路図である。
図に示すように、地震予知装置１０の回路図、すなわち予知手段２は、電源１１と、開閉手段１２と、電子コンパス１３と、制御部１４と、警告手段１５とから成る。
電源１１は、アルカリ乾電池などの内部電源や、一般用交流電源や車両用バッテリーなどの外部電源から構成される。
開閉手段１２は、給電を開閉するスイッチであるが、この開閉手段１２は必ずしも備えられる手段ではない。
電子コンパス１３は、基板２０に装着したところの、Ｘ軸地磁気センサ１７と、Ｙ軸地磁気センサ１８と、ＧＰＳセンサ１９とから構成される。
制御部１４は、電気素子部品や集積回路などから構成される。
警告手段１５は、例えばＬＥＤから成り、青色ランプ２２と、黄色ランプ２３と、赤色ランプ２４とから構成される。本実施例の警告手段１５は視覚警告手段である。
【００１２】
図３は、図２に示す電子コンパスの拡大平面図である。
図に示すように、電子コンパス１３のＸ軸地磁気センサ１７は、基板２０の平面方向であるところの、Ｘ軸方向（図中のＸ−Ｘ方向）の地磁気成分を検出する。Ｙ軸地磁気センサ１８は、基板２０の平面方向であってＸ軸方向に直角方向であるところの、Ｙ軸方向（Ｙ−Ｙ方向）の地磁気成分を検出する。
電子コンパス１３（の基板２０）は、その表面に英文字Ｎを有している。この英文字Ｎは、Ｘ軸地磁気センサ１７のＸ軸方向を地磁気Ｃに対して零度の方向（即ち略北の方向）に正対させるための（固定するための）表示手段である。
即ち、英文字Ｎの方向と地磁気Ｃの方向（即ち、方位磁石３のＮ極の方向）とが一致すれば、後述するように、Ｘ軸地磁気センサ１７により検出される地磁気成分がプラスの最大値（最大の出力レベル）となるための、表示手段（一つの構成）である。そして、予知手段２の電子コンパス１３を容器１内に収納する際、容器１表面の標識手段７と電子コンパス１３の英文字Ｎとを、同一方向に重ね合わせるようにして組み立てる構成としている。
そして、ＧＰＳセンサ１９は、時間計測の機能を担うために設けられている。
【００１３】
図４は、図３に示すＸ軸地磁気センサの特性曲線である。
図３に示すように、地磁気Ｃが、紙面の左から右方向へ、英文字Ｎの方向に向かっていて、Ｘ軸地磁気センサ１７は、地磁気Ｃに対して零度に固定されていると仮定する。このような構成を基準にしたとき、Ｘ軸地磁気センサ１７により検出される特性ＰＸは、図４に示すように、地磁気Ｃに対して零度（０度）の位置（地磁気Ｃに対してＸ軸地磁気センサ１７が正対する位置）では、プラスの最大値の（便宜上、＋１と表示する）出力レベルとなる。
【００１４】
そして、図３に示すように、基板２０の平面方向であるＸ軸及びＹ軸方向に対し、基板２０の鉛直方向であるＺ軸方向（重力方向、図示せず）を軸として、電子コンパス１３を矢印の回転方向Ｄに回転させる。このとき、地磁気Ｃに対して９０度の位置では、図４に示すように、特性ＰＸは最小値（零）となる。更に電子コンパス１３を回転させたとき、地磁気Ｃに対して１８０度の位置では、特性ＰＸはマイナスの最大値（−１）となる。そして、２７０度の位置では最小値（零）となり、３６０度の位置では再びプラスの最大値（＋１）となる。なお、Ｘ軸がＹ軸に代わるも可であり、プラスの最大値がマイナスの最大値に代わるも可である。
【００１５】
次に、本実施例の地震予知装置１０の動作について、その使い方から説明する。
図５は、図１に示す地震予知装置の方位を調節する説明図である。図５（ａ）は、調節前の説明図であり、図５（ｂ）は、調節後の説明図である。
図５（ａ）において、使用者が保持した地震予知装置１０においては、方位磁石３（の磁針４のＮ極）は任意の方向に存在する地磁気Ｃの方向を指している。したがって、方位磁石３の指す方向と、容器１表面の標識手段７とは、ずれた状態となっている。
【００１６】
次に、図５（ｂ）において、使用者が地震予知装置１０の容器１を、図中の矢印方向に回転させて、方位磁石３が指す方向（磁針４Ｎ極の方向）と標識手段７とを合わせる。
このような方位調節によって、地震予知装置１０の電子コンパス１３を正しい方位に、即ち方位磁石３が指す方向に向けることができる。即ち、Ｘ軸地磁気センサ１７を地磁気Ｃに対して正面に位置させることができる。このように方位調節を行った後に、机や棚などに載置した地震予知装置１０が地磁気の変化、すなわち方位のずれを検出する。
【００１７】
そして、電磁コンパス１３に電磁波が作用し、正しい方位から設定値Ｐ０以上に方位がずれたことを、制御部１４が検出したとき、制御部１４の制御指令によって、まず警告手段１５の青色ランプ２２が点滅する。このときＧＰＳセンサ１９から時間情報を入手することにより、制御部１４は設定値Ｐ０以上のずれを検出した時点の検出時刻を記録する。
引き続き電磁波が作用し、設定値Ｐ０以上に方位がずれている間は、青色ランプ２２の点滅が継続する。そして、制御部１４が、ＧＰＳセンサ１９からの時間情報と記録した検出時刻とを用いて、設定値Ｐ０以上に方位がずれていることが続いている時間（以下、ずれ継続時間）が所定値ｔ１を超えたと判断したときは、青色ランプ２２の点滅を継続させるとともに、黄色ランプ２３を点滅する。
【００１８】
更に電磁波が作用し続けて、ずれ継続時間が所定値ｔ２を超えたと判断したときは、青色ランプ２２及び黄色ランプ２３の点滅を継続させるとともに、赤色ランプ２４を点滅する。上記所定値として、例えばｔ１＝６０秒、ｔ２＝１２０秒に設定することができる。
従って、このような構成であれば、電磁波作用の継続（即ち、地磁気変化の長短）に対応した警告が行えるという効果がある。なお、点滅する構成の代わりに点灯する構成でも可である。
【００１９】
ところで、正しい方位から設定値Ｐ０以上に方位がずれることを検出する一例について、図４を参照して説明する。
地震予知装置１０のＸ軸地磁気センサ１７によって検出される地磁気Ｃの特性ＰＸは、地磁気に変化がなく正しい方位からずれない状態においては、ＰＸ＝＋１である。
地磁気Ｃに変化が現われて正しい方位からずれた状態においては、地磁気Ｃに対して零度の位置からずれることになり、例えば、ＰＸ＝＋０．９が検出される。この場合のずれは、０．１である。ＰＸ＝＋０．８５が検出される状態では、ずれは、０．１５である。
そして、例えば設定値Ｐ０＝０．１であれば、ＰＸ＝＋０．８５が検出される場合、正しい方位から設定値Ｐ０以上に方位がずれたとして検出することができる。
【００２０】
本実施例では、ずれ継続時間の長さに応じて警告手段の作動を制御する構成にした地震予知装置１０について説明した。これに対し、ずれの大きさに応じて警告手段の作動を制御する構成にした地震予知装置でも可である。
即ち、設定値を複数設定する構成とする。例えば、第１の設定値Ｐ０１＝０．１とし、第２の設定値Ｐ０２＝０．３とする。そして、ずれ継続時間に拘わらず、設定値Ｐ０２を超えるずれを検出した際、青色ランプ２２、黄色ランプ２３及び赤色ランプ２４を一斉に点滅する構成とする。この構成によって、電磁波作用の強弱（即ち、地磁気変化の大小）に対応して警告が行えるという効果がある。
【００２１】
以上の本実施例の地震予知装置１０は、電子コンパス１３と警告手段１５を備え、電子コンパス１３に電磁波が作用し、正しい方位から設定値Ｐ０以上に方位がずれたことを検出した際、警告手段１５が作動を開始し、電磁波が作用している間は警告手段１５が作動し続け、電磁波の作用が検出されなくなると、警告手段１５の作動を停止するようにしたものであって、電子コンパス１３を正しい方位に向けることを可能にする方位指向手段を備えたものである。
上記方位指向手段は、方位磁石３から成る。あるいは、上記方位指向手段は、方位磁石３と、標識手段７とから成るも可である。本実施例では、電子コンパス１３を正しい方位に向けることを可能とする標識手段７は、容器１に設けられている。
この構成によって、常に観察していることもなく、簡単な構造で地震を予知することが可能である地震予知装置１０を提供することができる。且つ、電子コンパス１３を正しい方位に向けることが簡単に行えるという効果が得られ、地震予知装置１０の取扱性を向上させることができる。
【実施例２】
【００２２】
本発明による実施例２の地震予知装置について、図面を参照して説明する。なお、実施例１と同一の構成については、同符号で表示しその内容や動作の説明を省略する。
図６は、本発明による第二実施例の地震予知装置を示す鳥瞰図であり、図７は、図６に示す地震予知装置のＡ−Ａ縦断面図である。
図６及び図７に示す地震予知装置３０は、容器３１と、容器３１内に収納された予知手段２（含む電子コンパス１３）と、容器３１の側表面からその一部を露出させている指向ランプ２６とを備える。
容器３１は、円錐体系の地震予知装置３０の本体である。本実施例の容器３１は、その横断面が円形であり、方向性に限定されない地震予知装置を形成している。
指向ランプ２６は、例えばＬＥＤから成り、電子コンパス１３が正しい方位に向けられると点滅する手段である。
なお、本実施例では、警告手段１５であるところの、青色ランプ２２、黄色ランプ２３及び赤色ランプ２４の図示は省略する。
【００２３】
図８は、図６に示す地震予知装置の回路図である。
図に示すように、地震予知装置３０の回路図は、予知手段２と、指向ランプ２６とから成る。
そして、図７に示すように、Ｘ軸地磁気センサ１７のＸ軸方向に（即ち、図３に示す電子コンパス１３の英文字Ｎの延長線上に）、指向ランプ２６が来るようにして、予知手段２の電子コンパス１３は容器３１内に収納されている構成としている。
即ち、指向ランプ２６は、容器３１内の電子コンパス１３を正しい方位（即ち略北の方向）に向けるために設けている。換言すれば、Ｘ軸地磁気センサ１７を略北の方向に正対させるために設けた方位指向手段である。
【００２４】
次に、本実施例の地震予知装置３０の動作について、その使い方から説明する。
図９は、図６に示す地震予知装置の方位を調節する説明図である。図７に示すＥ矢視の地震予知装置３０の上面図である。図９（ａ）は、調節前の説明図であり、図９（ｂ）は、調節後の説明図である。
図９（ａ）において、使用者が机や棚などに載置した地震予知装置３０においては、地磁気Ｃの方向は任意の方向に存在する。したがって、地磁気Ｃの方向と、容器３１表面から突出した指向ランプ２６の方向とは、ずれた状態となっている。
【００２５】
次に、図９（ｂ）において、使用者が地震予知装置３０の容器３１を、図７に示すＸ−Ｘ方向に直角に交わるＺ−Ｚ方向（重力方向）を回転軸として、図９（ｂ）の矢印方向に回転させる。このとき、地磁気Ｃの方向と指向ランプ２６の方向（すなわちＸ軸地磁気センサ１７のＸ軸方向）とが合えば、指向ランプ２６が点滅または点灯する。この指向ランプ２６が点滅または点灯し指示した位置にて、使用者は地震予知装置３０の容器３１の回転を止める。
このように、指向ランプ２６の点滅指示により、使用者が方位調節を行うことによって、地震予知装置３０の電子コンパス１３を正しい方位に、即ち指向ランプ２６が指す方向に向けることができる。そして、方位調節が行われた後に、地磁気の変化、すなわち方位のずれが地震予知装置３０によって検出される。なお、検出後の地震予知装置３０の動作は、実施例と同じであるので、その説明を省略する。
【００２６】
ところで、地磁気Ｃの方向とＸ軸地磁気センサ１７のＸ軸方向とが合えば、指向ランプ２６が点滅または点灯する一例について、図４及び図８を参照して説明する。
図４に示すように、地震予知装置３０のＸ軸地磁気センサ１７によって検出される地磁気Ｃの特性ＰＸは、Ｘ軸方向が地磁気Ｃと正対すれば、プラスの最大値（ＰＸ＝＋１）になる。従って、この特性を利用して、図８に示すように、制御部１４が指向ランプ２６を点滅または点灯させる構成とする。
また、指向ランプ２６の点滅または点灯は所定時間ｔ３の間継続させる。そして、省エネに繋げるために、ｔ３時間を超えた場合は指向ランプ２６を消灯する。この消灯制御もＧＰＳセンサ１９の時間情報を利用して制御部１４が実行する構成とする。
【００２７】
以上の本実施例の地震予知装置３０は、電子コンパス１３と警告手段１５を備え、電子コンパス１３に電磁波が作用し、正しい方位から設定値Ｐ０以上に方位がずれたことを検出した際、警告手段１５が作動を開始し、電磁波が作用している間は警告手段１５が作動し続け、電磁波の作用が検出されなくなると、警告手段１５の作動を停止するようにしたものであって、電子コンパス１３を正しい方位に向けることを可能にする方位指向手段を備えたものである。
上記方位指向手段は、指向ランプ２６から成る。あるいは、上記方位指向手段は、指向ランプ２６と、電子コンパス１３が正しい方位に向けられると指向ランプ２６を点滅させる予知手段２とから成るも可である。
この構成によって、簡単な構造からなり実用性があり、個人や家庭でも用いられ取扱性が良い地震予知装置を提供することができる。
【実施例３】
【００２８】
本発明による実施例３の地震予知装置について、図面を参照して説明する。なお、実施例１と同一の構成については、同符号で表示しその内容や動作の説明を省略する。
図１０は、本発明による第三実施例の地震予知装置を示す鳥瞰図である。
図に示す本実施例の地震予知装置５０は、花瓶に活けられた花という室内装飾器具の形態となっている。換言すれば、地震予知装置５０は、室内装飾器具の形態を借りた構成となっている。
上記の地震予知装置５０は、第１の装飾手段５１と、第２の装飾手段５２と、第１の装飾手段５１に内蔵された予知手段２（含む電子コンパス１３）とを備える。第１の装飾手段５１及び第２の装飾手段５２は、室内を飾る装飾器具である。
即ち、第１の装飾手段５１は花瓶であり、第２の装飾手段５２は造花である。そして、第２の装飾手段５２は、複数個の青色ランプ２２で飾り着けられた「青ばら」から成る第１の花手段５３と、複数個の黄色ランプ２３で飾り着けられた「黄ばら」から成る第２の花手段５４と、複数個の赤色ランプ２４で飾り着けられた「赤ばら」から成る第３の花手段５５とから構成される。
なお、本実施例の第２の装飾手段５２は、第一実施例の警告手段１５（即ち、視覚警告手段）に該当する。また、本実施例では、青色ランプ２２、黄色ランプ２３及び赤色ランプ２４の図示は省略する。
【００２９】
更に本実施例においては、地震予知装置５０は、コンパス回動手段２７と発音手段２８とを備える。これらのコンパス回動手段２７及び発音手段２８は、第１の装飾手段５１内に収納されている。
コンパス回動手段２７は、図１０に示すようにＸ−Ｘ方向に直角に交わるＺ−Ｚ方向（重力方向）を回転軸として、電子コンパス１３を回転させる手段である。
本実施例では、コンパス回動手段２７が電子コンパス１３を含む予知手段２を載置している構成を示している。しかしながら、重力方向を回転軸としてコンパス回動手段２７により、少なくとも電子コンパス１３が回転させられる構成であれば可である。
発音手段２８は、音声や音楽を発する手段であり、警告のために用いられる手段である。
なお、この発音手段２８は第１の装飾手段５１の外に、例えば第２の装飾手段５２に設けられる構成でも可である。また、地震予知装置がコンパス回動手段を備えない構成の場合、該地震予知装置に実施例１または実施例２の方位指向手段を備える構成とすることも可である。
【００３０】
図１１は、図１０に示す地震予知装置の回路図である。
図に示すように、地震予知装置５０の回路図は、予知手段２と、コンパス回動手段２７と、発音手段２８とから成る。
そして、制御部１４にコンパス回動手段２７が接続されている。このコンパス回動手段２７は、制御部１４の指示により、Ｚ−Ｚ方向を回転軸として、電子コンパス１３を回転させる。
更に、制御部１４には、聴覚警告手段である発音手段２８が接続されている。この発音手段２８は、制御部１４の指令によって音声や音楽を発する。
【００３１】
次に、本実施例の地震予知装置５０の動作について、その使い方から説明する。
一般に、第１の装飾手段５１や第２の装飾手段５２で室内を飾るように置かれた地震予知装置５０にあっては、地磁気Ｃの方向とＸ軸地磁気センサ１７のＸ軸方向とは、ずれた状態（図示せず）となっている。図４にて説明したように、この状態では、Ｘ軸地磁気センサ１７によって制御部１４が検出する特性ＰＸは、プラスの最大値（＋１）ではない。
ＰＸがプラスの最大値でない場合は、制御部１４から回転指令が発せられて、コンパス回動手段２７は電子コンパス１３を回す。電子コンパス１３が回り、地磁気Ｃの方向にＸ軸地磁気センサ１７が正対すると、ＰＸはプラスの最大値になる。
そして、制御部１４がＰＸ＝プラスの最大値（又は最大値に相当する近似値）になったことを検出すると、制御部１４から停止指令が発せられて、コンパス回動手段２７は電子コンパス１３の回動を止める。
このような調節によって、地震予知装置５０の電子コンパス１３は、正しい方位に自動的に向けられる。
【００３２】
そして、電磁コンパス１３に電磁波が作用し、制御部１４が設定値Ｐ０以上のずれを検出したとき、制御部１４の制御指令によって、まず第１の花手段５３の青色ランプ２２が点滅する。このとき、制御部１４の制御指令によって、発音手段２８は柔らかい音声や音楽で警告を発する。また、ＧＰＳセンサ１９の時間情報に基づき、制御部１４は設定値Ｐ０以上のずれを検出した検出時刻を記録する。
引き続き電磁波が作用し、ずれ継続時間の間は、青色ランプ２２の点滅が継続する。そして、制御部１４が、時間情報と検出時刻とを用いて、ずれ継続時間が所定値ｔ１を超えたと判断したときは、青色ランプ２２の点滅を継続させるとともに、第２の花手段５４の黄色ランプ２３を点滅する。このとき、制御部１４の制御指令によって、発音手段２８は普通の音声や音楽で警告を発する。
【００３３】
更に電磁波が作用し続けて、ずれ継続時間が所定値ｔ２を超えたと判断したときは、青色ランプ２２及び黄色ランプ２３の点滅を継続させるとともに、第３の花手段５５の赤色ランプ２４を点滅する。このとき、制御部１４の制御指令によって、発音手段２８は強い調子の音声や音楽で警告を発する。なお、音声と音楽との同時警告構成でも可である。
【００３４】
以上の本実施例の地震予知装置５０は、電子コンパス１３と警告手段１５を備え、電子コンパス１３に電磁波が作用し、正しい方位から設定値Ｐ０以上に方位がずれたことを検出した際、警告手段１５が作動を開始し、電磁波が作用している間は警告手段１５が作動し続け、電磁波の作用が検出されなくなると、警告手段１５の作動を停止するようにした構成であって、電子コンパス１３を正しい方位に向けるよう回動するコンパス回動手段２７を備えた構成である。
上記構成の地震予知装置５０では、電子コンパス１３を正しい方位に向けることが自動的に行えるという効果が得られ、地震予知装置の取扱性を更に向上させることができる。
【００３５】
また、本実施例の地震予知装置５０は、第１の装飾手段５１と第２の装飾手段５２とで室内装飾器具に擬装されている構成となっている。換言すれば、地震予知装置５０は、室内装飾器具を宿主とするよう構成したことを特徴とする。
地震予知装置５０自体が室内装飾器具を兼ねる上記構成であれば、いつ起こるか予測の付かない災害に備える警報器や警告器などに特有の、なんとなく邪魔な且つ固い感じを払拭し、室内を明るくすることができる効果がある。言い換えれば、本実施例の地震予知装置５０には、実用性とともに、装飾性・嗜好性を富ませる効果がある。
【００３６】
更に、本実施例の地震予知装置５０は、視覚警告手段である警告手段１５および聴覚警告手段である発音手段２８を備えた構成である。本構成によれば、ランプ点滅という視覚に訴える警告に、音声や音楽という聴覚に訴える警告を加えることが可能となり、地震予知の警告がより確実に行えるという効果がある。また、音声や音楽によって柔らかく警告することが可能となり、懸念される地震パニックを回避することができる効果がある。
【００３７】
ところで、電源１１の内部電源として、乾電池や太陽電池などがあり、電源１１の外部電源として、一般用交流電源や車両用バッテリーなどがある。本第三実施例の場合、地震予知装置５０の電源１１としては、地震予知装置５０が室内装飾器具であり、連続的（永続的）に給電するために、一般用交流電源を用いることが望ましい。
【００３８】
なお、本実施例は地震予知装置５０を室内装飾器具に擬装する構成であるが、地震予知装置を電気機器や車載機器に擬装する構成であっても可である。即ち、室内装飾器具、電気機器、車載機器（以下、電気機器等）を主製品とし、主製品の電気機器等が予知手段やコンパス回動手段などを備えて、地震予知装置を従製品とする製品構成にする。
このように、電気機器等に、地震予知装置の予知手段、コンパス回動手段若しくは方位指向手段、警告手段等を内蔵することにより、電気機器等を当該地震予知装置の宿主とする構成にした地震予知装置とする。このような構成であれば、これらの電気機器等において用いられている一般用交流電源や車両用バッテリーの電源が通常は入りっ放しであるので、地震予知を連続的に行うことが可能となる。また、多くの人達に警告することが可能となり、地震予知の汎用性が増すという効果がある。
【００３９】
前記電気機器には、室内用電気機器と室外用電気機器とがある。室内用電気機器の家庭用電気機器として、テレビジョン、ラジオ、電話機などが該当する。また、室内用電気機器の業務用電気機器として、複写機、金銭レジスター、ファクシミリなどが該当する。更に、室外用電気機器として、自動販売機などが該当する。また、前記車載機器には、カーステレオ・ラジオ、カーナビゲーションなどがある。
そして、地震予知装置がテレビジョンやカーナビゲーションを宿主とする構成であれば、テレビジョンやカーナビゲーションの映像装置（プラズマ液晶画面など）を本発明の視覚警告手段として利用することができる。また、テレビジョンやカーナビゲーションの発音装置（スピーカなど）を本発明の聴覚警告手段として利用することができる。また、カーナビゲーションのＧＰＳセンサを共用するという利点がある。
【産業上の利用可能性】
【００４０】
本発明にかかる地震予知装置は、実用性と取扱性を高める効果を有し、家庭用の地震予知装置として、また嗜好性のある室内装飾器具として、更に汎用性のある電気機器や車載機器にも有用である。  
【符号の説明】
【００４１】
１    容器
２    予知手段
３    方位磁石
４    磁針
５    回転軸
７    標識手段
１０    地震予知装置
１１    電源
１２    開閉手段
１３    電子コンパス
１４    制御部
１５    警告手段
１７    Ｘ軸地磁気センサ
１８    Ｙ軸地磁気センサ
１９    ＧＰＳセンサ
２０    基板
２２    青色ランプ
２３    黄色ランプ
２４    赤色ランプ
２６    指向ランプ
２７    コンパス回動手段
２８    発音手段
３０，５０    地震予知装置
３１    容器
５１    第１の装飾手段
５２    第２の装飾手段
５３    第１の花手段
５４    第２の花手段
５５    第３の花手段
【図１】
2012149990.tif 000003
【図２】
2012149990.tif 000004
【図３】
2012149990.tif 000005
【図４】
2012149990.tif 000006
【図５】
2012149990.tif 000007
【図６】
2012149990.tif 000008
【図７】
2012149990.tif 000009
【図８】
2012149990.tif 000010
【図９】
2012149990.tif 000011
【図１０】
2012149990.tif 000012
【図１１】
2012149990.tif 000013